(57)【要約】【課題】蓋締装置を使用して蓋体を回転することにより蓋体を締め付ける場合に蓋体がスリップすることがなく、確実に蓋体を容器本体に固着することができる容器を提供する。【解決手段】容器本体と、その容器本体に対し螺着することにより被着される蓋体とを備えた容器であって、上記蓋体の外周面には、蓋締装置に係合可能な係合部が形成されていることを特徴とする。また、上記係合部として、上記蓋体の外周面に、蓋体の厚さ方向に沿ってリブが突設されている。また、上記蓋体には、その周壁部の内方に周方向に沿って環状壁部が形成されることにより、当該環状壁部と上記周壁部との間にシール部材装着溝部が設けられると共に、上記シール部材装着溝部には断面形状が台形でリング状のシール部材が装填されている。【選択図】図４
0003107839.tif 000002
【実用新案登録請求の範囲】
【請求項１】
容器本体と、その容器本体に対し螺着される蓋体とを備えた容器であって、上記蓋体の外周面には、蓋締装置に係合可能な係合部が形成されていることを特徴とする容器。
【請求項２】
上記係合部として、上記蓋体の外周面に、蓋体の厚さ方向に沿ってリブが設けられていることを特徴とする請求項１記載の容器。
【請求項３】
上記リブは上記蓋体に突設されていることを特徴とする請求項２記載の容器。
【請求項４】
上記蓋体には、その周壁部の内方に周方向に沿って環状壁部が形成されることにより、当該環状壁部と上記周壁部との間にシール部材装着溝部が設けられると共に、上記シール部材装着溝部には断面形状が台形でリング状のシール部材が装填されていることを特徴とする請求項１，２又は３記載の容器。
【請求項５】
上記蓋体の周壁部内面で、上記シール部材装着溝部の開口端には、上記シール部材装着溝部に装填されたシール部材の底面部に係合しうる突条部が形成されていることを特徴とする請求項４記載の容器。
【請求項６】
上記容器本体の開口縁部には、その内面側にテーパ部が形成されると共に、上記蓋体における上記環状壁部の先端部には、上記蓋体を上記容器本体に螺着させた状態で上記容器本体のテーパ部に当接しうるテーパ部が形成されていることを特徴とする請求項４又は５記載の容器。
【考案の詳細な説明】
【技術分野】
【０００１】
本考案は容器に係り、特に収納物の漏出を防止するために、容器本体と蓋体の間をシールする容器に関する。
【背景技術】
【０００２】
液状若しくは粉末状の試薬等を収納する容器は、その収納物が漏出しないように、容器本体と蓋体の間をシールする必要があることから、容器本体と蓋体の間にシール部材が配置されていると共に、容器本体に対し蓋体が弛まないように、蓋体を緊密に容器本体に固定する必要がある。
【０００３】
近年、このような試薬等を収納するための容器の蓋体の固定にあたっては、一定の回転トルクで回転させることにより蓋体を確実かつ緊密に締め付けるように構成されたる蓋締装置が使用されている。
【０００４】
しかしながら、上記蓋締装置により蓋体を回転させる場合、蓋体の外周面がスリップして確実に蓋体を容器本体に固着することができない場合がある、という不具合があった。
【０００５】
本出願人は上記不具合を解消できる容器について調査したが、関連する先行技術文献は発見できなかった。
【考案の開示】
【考案が解決しようとする課題】
【０００６】
そこで本考案の課題は、蓋締装置を使用して蓋体を回転することにより蓋体を締め付ける場合に蓋体がスリップすることがなく、確実に蓋体を容器本体に固着することができる容器を提供することにある。
【課題を解決するための手段】
【０００７】
上記課題を解決するために、請求項１記載の本考案に係る容器は、容器本体と、その容器本体に対し螺着される蓋体とを備えた容器であって、上記蓋体の外周面には、蓋締装置に係合可能な係合部が形成されていることを特徴とするものである。
【０００８】
即ち、本考案に係る容器にあっては、上記容器本体と上記蓋体とは螺着することにより閉蓋状態となってシール状態を維持し、これにより、上記容器本体の収納物の漏出を防止するように形成し、また、上記蓋体を上記容器本体に螺着させる場合に、上記蓋体の外周面に係合しうる専用の蓋締装置を用いて上記蓋体を確実かつ緊密に締め付けて上記容器本体に螺着させうるように構成されている。
【０００９】
また、請求項２記載の本考案に係る容器は、上記係合部として、上記蓋体の外周面に、蓋体の厚さ方向に沿ってリブが設けられていることを特徴とする。
【００１０】
即ち、本考案に係る容器にあっては、上記蓋体の外周面に、その蓋体の厚さ方向に沿って突設されているリブに対し、上記蓋締装置が係合しうるように構成されている。
【００１１】
請求項３記載の考案に係る容器にあっては、上記リブは上記蓋体に突設されていることを特徴とする。
請求項４記載の本考案に係る容器は、上記蓋体には、その周壁部の内方に周方向に沿って環状壁部が形成されることにより、当該環状壁部と上記周壁部との間にシール部材装着溝部が設けられると共に、上記シール部材装着溝部には断面形状が台形でリング状のシール部材が装填されていることを特徴とする。
【００１２】
即ち、本考案に係る容器にあっては、上記シール部材として断面形状が台形でリング状のシール部材が用いられ、また、上記蓋体には、その周壁部の内方に周方向に沿って環状壁部が形成されることにより、当該環状壁部と上記周壁部との間にシール部材装着溝部が設けられ、このシール部材装着溝部に上記シール部材が装填されるように構成されている。
【００１３】
また、請求項５記載の本考案に係る容器は、上記蓋体の周壁部内面で、上記シール部材装着溝部の開口端には、上記シール部材装着溝部に装填されたシール部材の底面部に係合しうる突条部が形成されていることを特徴とする。
【００１４】
即ち、本考案に係る容器にあっては、上記蓋体の周壁部内面で、上記シール部材装着溝部の開口端に上記突条部が形成され、この突条部が上記シール部材装着溝部に装填されたシール部材の底面部に係合することにより、上記シール部材装着溝部からのシール部材の脱落を防止するように構成されている。
【００１５】
また、請求項６記載の本考案に係る容器は、上記容器本体の開口縁部には、その内面側にテーパ部が形成されると共に、上記蓋体における上記環状壁部の先端部には、上記蓋体を上記容器本体に螺着させた状態で上記容器本体のテーパ部に当接しうるテーパ部が形成されていることを特徴とする。
【００１６】
即ち、本考案に係る容器にあっては、上記容器本体の開口縁部の内面側に形成された上記テーパ部と、上記蓋体における上記環状壁部の先端部に形成された上記テーパ部とが、上記蓋体を上記容器本体に螺着させた状態で互いに当接するように構成されている。
【考案の効果】
【００１７】
請求項１記載の本考案に係る容器は、容器本体と、その容器本体に対し螺着することにより被着される蓋体とを備えた容器であって、上記蓋体の外周面には、蓋締装置に係合可能な係合部が形成されていることから、上記蓋体を上記蓋締装置により回転させて上記容器本体に螺着させる場合に、上記蓋体に形成されている係合部に上記蓋締装置が係合することにより、上記蓋体と上記蓋締装置との間にスリップが発生しないため、上記蓋締装置により一定の回転トルクで確実かつ緊密に蓋体を締め付けることができる。従って、上記容器本体の内部に液状若しくは粉末状の試薬等を収納しても、その内容物の漏出を確実に防止することができる。
【００１８】
また、請求項２及び３記載の本考案に係る容器は、上記係合部として、上記蓋体の外周面に、蓋体の厚さ方向に沿ってリブが設けられていることから、上記係合部の構造がシンプルで上記蓋体の外周面に容易に形成することができる。
また、上記蓋締装置は上記リブと係合する部位を備えるだけの構造が簡単なものでよいので、様々な蓋締装置の採用が可能である。また、上記リブは容器を横倒状態にした場合に、転動を防止することができる。
【００１９】
また、請求項４記載の本考案に係る容器は、上記蓋体には、その周壁部の内方に周方向に沿って環状壁部が形成されることにより、当該環状壁部と上記周壁部との間にシール部材装着溝部が設けられると共に、上記シール部材装着溝部には断面形状が台形でリング状のシール部材が装填されていることから、上記シール部材装着溝部に上記シール部材が装填された状態では、上記シール部材の上辺部の両側外方に空隙が形成されるため、上記容器本体に上記蓋体を被着した状態で、容器本体の開口縁部が適宜な圧力で上記シール部材に密着して、上記シール部材に若干の変形が生じても、その変形した部位を上記空隙が吸収することができるので、上記環状壁部を押して上記シール部材装着溝部の幅が僅かに拡大することにより隙間が生じるような事態を回避することができ、これにより良好なシール機能を保つことができる。
【００２０】
また、請求項５記載の本考案に係る容器は、上記蓋体の周壁部内面で、上記シール部材装着溝部の開口端には、上記シール部材装着溝部に装填されたシール部材の底面部に係合しうる突条部が形成されていることから、上記シール部材装着溝部から上記シール部材が脱出するのを上記突条部が防止するため、上記シール部材が外れてシール機能が損なわれるという事態を防止することができる。
【００２１】
また、請求項６記載の本考案に係る容器は、上記容器本体の開口縁部には、その内面側にテーパ部が形成されると共に、上記蓋体における上記環状壁部の先端部には、上記蓋体を上記容器本体に螺着させた状態で上記容器本体のテーパ部に当接しうるテーパ部が形成されていることから、上記蓋体を上記容器本体に被着させた状態では、上記容器本体のテーパ部と上記蓋体における上記環状壁部のテーパ部とが当接してシールすることになるので、上記シール部材のシール機能と、上記テーパ部のシール機能により、二重にシールされて、シール効果が増大する。
【考案を実施するための最良の形態】
【００２２】
以下、図面を用いて本考案の実施の形態について説明する。
本実施形態に係る容器１１は、図１及び図２に示すように、容器本体１２と、その容器本体１２に対し螺着することにより被着される蓋体１３とを備えた容器であって、上記蓋体１３の外周面には、図４及び図５に示すような蓋締装置２９，３０が係合可能な係合部３１が形成されている。
また、上記係合部３１として、図１及び図２に示すように、上記蓋体１３の外周面に、蓋体１３の厚さ方向に沿ってリブ３２が突設されている。
また、上記蓋体１３には、図1及び図２に示すように、その周壁部２０の内方に周方向に沿って環状壁部２２が形成されることにより、当該環状壁部２２と上記周壁部２０との間にシール部材装着溝部２３が設けられると共に、上記シール部材装着溝部２３には図３に示すように断面形状が台形でリング状のシール部材２４が装填されている。
また、図1及び図２に示すように、上記蓋体の周壁部２０内面で、上記シール部材装着溝部２３の開口端には、上記シール部材装着溝部２３に装填されたシール部材２４の底面部に係合しうる突条部２６が形成されている。
また、図１及び図２に示すように、上記容器本体１２の開口縁部１８には、その内面側にテーパ部１９が形成されると共に、上記蓋体１３における上記環状壁部２２の先端部には、図２に示すように、上記蓋体１３を上記容器本体１２に螺着させた状態で上記容器本体１２のテーパ部１９に当接しうるテーパ部２７が形成されている。
【実施例１】
【００２３】
本実施例に係る容器１１は、図１に示すように、上記容器本体１２と、その容器本体１２の開口部に被着する蓋体１３とを備えて構成されている。
【００２４】
上記容器本体１２は、図２に示すように、内部に液状若しくは粉末状の試薬１４を収納するためのもので、耐薬品性を有するプラスチックを素材として、図１に示すように、有底筒状に形成され、上端に開口部１５を有している。
【００２５】
上記容器本体１２は、図１に示すように、その周壁部１６の上端部における外周面に雄ネジ１７が形成され、又、開口縁部１８の内面側にはテーパ部１９が形成されている。
【００２６】
上記蓋体１３も耐薬品性を有するプラスチックを素材として形成され、図１に示すように、その周壁部２０の内周面に、上記容器本体１２の雄ネジ１７と螺着しうる雌ネジ２１が形成されている。
【００２７】
即ち、上記蓋体１３を上記容器本体１２に被着するときに、図２に示すように、上記蓋体１３の雌ネジ２１が、上記容器本体１２の雄ネジ１７に螺着するように構成されている。
【００２８】
また、上記蓋体１３には、図１に示すように、その周壁部２０の内方に周方向に沿って環状壁部２２が形成されている。
【００２９】
そして、上記環状壁部２２と上記周壁部２０との間に、図１に示すように、シール部材装着溝部２３が設けられている。
【００３０】
上記シール部材装着溝部２３には、図３に示すような断面形状が台形でリング状のシール部材２４が、図１に示すように装填されている。
【００３１】
上記シール部材２４としては、エラストマーや合成ゴムなどで形成されたパッキン２５が使用されている。
【００３２】
また、上記蓋体１３の周壁部２０内面で、上記シール部材装着溝部２３の開口端には、図１に示すように、突条部２６が周壁部２０の周方向に沿って形成されている。
【００３３】
上記突条部２６は、図１に示すように、上記シール部材装着溝部２３に装填された上記パッキン２５の底面部に係合することにより、上記パッキン２５が上記シール部材装着溝部２３から脱落するのを防止している。
【００３４】
また、上記蓋体１３における上記環状壁部２２の先端部には、図１に示すようにテーパ部２７が形成されている。
【００３５】
上記蓋体１３を上記容器本体１２に螺着させた状態では、図２に示すように、上記蓋体１３のテーパ部２７は上記容器本体１２のテーパ部１９に当接してシールしている。
【００３６】
また、上記蓋体１３を上記容器本体１２に螺着させる前の状態では、図１に示すように、上記蓋体１３に装填された上記パッキン２５が、上記のように断面形状が台形に形成されていることから、上記パッキン２５の側面と上記周壁部１６及び上記環状壁部２２の内面との間に僅かな空隙２８が存在している。
そして、上記蓋体１３を上記容器本体１２に螺着させた状態では、図２に示すように、容器本体１２の開口縁部１８が上記パッキン２５の底面部に当接して加圧することから、上記パッキン２５は若干変形するが、そのパッキン２５の変形部位は上記空隙２８に収まって吸収されている。
【００３７】
ところで、上記蓋体１３を上記容器本体１２に螺着させるために、図４及び図５に示すような、上記蓋体１３に係合しうる蓋締装置２９、３０が使用されている。
【００３８】
そして、上記蓋体１３には、図１に示すように、上記蓋締装置２９、３０と係合しうるように、その外周面に上記係合部３１として、蓋体１３の厚さ方向に沿うリブ３２が周方向の複数箇所に突設されている。
【００３９】
図４に示す蓋締装置２９は、上記蓋体１３の外面部に被せうる蓋体収納体３３を有し、その蓋体収納体３３は上面の中心部に回転軸３４が取り付けられて、回転しうるように構成されている。
【００４０】
上記蓋体収納体３３の内周面には、上記蓋体１３に形成された上記リブ３２と対応するように、上記リブ３２を収納可能な係合溝部３５が形成されている。
【００４１】
上記係合溝部３５の入口には、上記リブ３２をスムースに係合溝部３５に誘導して収納するためにテーパ溝部３６が形成されている。
【００４２】
上記のように、上記蓋体収納体３３を上記蓋体１３に被せると共に、上記リブ３２を係合溝部３５に係合させた状態で、上記回転軸３４を回転させると、上記蓋体１３は上記蓋体収納体３３と共に回転して、上記容器本体１２に対し螺着することができる。
この場合、上記回転軸３４は一定の安定したトルクで回転するため、上記蓋体１３は上記容器本体１２に対し確実かつ緊密に螺着することができる。
【００４３】
また、図５に示す蓋締装置３０は、上記蓋体１３の両側外方にそれぞれ、上記蓋体１３と係合しうるベルト駆動装置３７が、上記蓋体１３を挟むように配置された構成を有している。
【００４４】
上記ベルト駆動装置３７は、一対のプーリー３８にベルト３９が回転可能に巻き掛けされ、そのベルト３９には長さ方向に一定間隔で、ベルト３９の幅方向に沿って係合突条部４０が形成されることにより構成されている。
【００４５】
また、上記ベルト駆動装置３７は上記蓋体１３に対し、接近して上記ベルト３９を接触しうると共に、離間しうるようにも構成されている。
【００４６】
上記ベルト駆動装置３７が両側から上記蓋体１３に接近して上記ベルト３９を上記蓋体１３の側面に接触させ、その状態で上記プーリー３８を回転させると、上記ベルト３９も回転するが、このとき、上記ベルト３９に形成された上記係合突条部４０が蓋体１３の上記リブ３２に係合することから、蓋体１３も回転して上記容器本体１２に対し螺着することができる。
この場合、上記プーリー３８は一定の安定したトルクで回転するため、上記蓋体１３は上記容器本体１２に対し確実かつ緊密に螺着することができる。
【産業上の利用可能性】
【００４７】
本考案は容器、特に収納物の漏出を防止するために、容器本体と蓋体の間をシールする容器に適用可能である。
【図面の簡単な説明】
【００４８】
【図１】本考案の容器に係る一実施例を示したもので、蓋体を容器本体に螺着する前の状態を示す一部を断面とした側面図である。
【図２】本考案の容器に係る一実施例を示したもので、蓋体を容器本体に螺着した状態を示す一部を断面とした側面図である。
【図３】本考案の容器に係る一実施例を示したもので、一部を破断したシール部材の斜視図である。
【図４】本考案の容器に係る一実施例を示したもので、蓋締装置の一例を示す一部を断面とした側面図である。
【図５】本考案の容器に係る一実施例を示したもので、蓋締装置の他の例を示す斜視図である。
【符号の説明】
【００４９】
１１  容器
１２  容器本体
１３  蓋体
１４  試薬
１５  開口部
１６  周壁部
１７  雄ネジ
１８  開口縁部
１９  テーパ部
２０  周壁部
２１  雌ネジ
２２  環状壁部
２３  シール部材装着溝部
２４  シール部材
２５  パッキン
２６  突条部
２７  テーパ部
２８  空隙
２９  蓋締装置
３０  蓋締装置
３１  係合部
３２  リブ
３３  蓋体収納体
３４  回転軸
３５  係合溝部
３６  テーパ溝部
３７  ベルト駆動装置
３８  プーリー
３９  ベルト
４０  係合突条部
【図１】
0003107839.tif 000003
【図２】
0003107839.tif 000004
【図３】
0003107839.tif 000005
【図４】
0003107839.tif 000006
【図５】
0003107839.tif 000007